(57)【要約】【課題】立ち座りが楽で、腹部角度を確保することができ、局部圧迫や滑りが発生しない椅子を提供すること。【解決手段】平坦な後半部と前下がりの前半部により椅子の座面を構成し、前半部の前下がりの角度は、当該椅子に座った際に大腿部が水平面との間で形成する角度に対応した角度とし、後半部で臀部を、前半部で大腿部を保持するようにしたことを特徴とする座面構造および当該座面構造を有する椅子。【選択図】　図３
2004065626.tif 000002
【特許請求の範囲】
【請求項１】
実質的に平坦な後半部と前下がりの前半部により椅子の座面を構成し、前半部の前下がりの角度は、当該椅子に座った際に大腿部が水平面との間で形成する角度に対応した角度とし、後半部で臀部を、前半部で大腿部を保持するようにしたことを特徴とする座面構造。
【請求項２】
実質的に平坦な後半部と前下がりの前半部が連続した材料で形成され、その境界で屈曲する請求項第１項記載の座面構造。
【請求項３】
前半部の長さが後半部の長さに比べ長い請求項第１項記載の座面構造。
【請求項４】
座面が上下可能であると共に、前半部の前下がりの角度がこれに対応して変化する請求項第１項記載の座面構造。
【請求項５】
請求項第１項ないし第４項の何れかの項記載の座面構造を有する椅子。
【発明の詳細な説明】
【０００１】
【発明の属する技術分野】
本発明は、椅子等で利用される座面構造に関し、更に詳細には、体圧分散および使用勝手に優れた座面構造およびこれを利用する椅子に関する。
【０００２】
【従来の技術】
日本人の生活が洋風化するとともに、生活の中に椅子が普及し、椅子を使用しない生活は考えられない時代となっており、使用状況や使用勝手に合わせた様々な椅子が提供されている。
【０００３】
このように各種の椅子が提供されており、その形状は様々であるが、従来の椅子の座面構造は、基本的には平坦であり、一部には臀部形状を考慮して若干へこみを形成させたものも提供されている。
【０００４】
基本的に椅子に座る場合は、図１に示すような座姿勢をとることが多い。この座姿勢は、水平の平面座面に、ほぼ立った時の膝の位置の高さに座る座姿勢で、体重は、臀部から大腿部裏面で支持することになる。この座姿勢は、前後方向の自由度が大きく、深く腰掛けたとき、腹部角度（上半身と大腿部で形成する角度；図１中、θ１）は直角に近い状態となり、長時間この姿勢を続けることは苦痛を伴うこととなる。そこで、腹部角度をより大きくするために、座面の前端に近い部分に浅く座りがちであるが、その場合は、腰椎、胸椎を曲げて作業を行うようになり猫背となりやすい。
【０００５】
近年、姿勢端正を含めて猫背になりにくいタイプの椅子として、バランスチェアー等と呼ばれる図２に示すタイプのものが提供されている。この椅子では、腹部角度（θ２）が大きいため、長時間の使用によっても苦痛は少ないが、膝より高い位置に座り、前下がりの座面によるずり落ちを脛受けで防止するものであるため、なれないと座りにくいという問題があるほか、脛部が脛受け部から圧力を受け、この部分が痛くなるという問題がある。
【０００６】
最近では、作業しやすいよう前傾を取れる事務椅子も提供されているが、これらの椅子は、座面全体が前下がりとなるので足で体重を支えないと前方に滑り出し、やはり長時間の座作業に向くものとはいえなかった。
【０００７】
このように、従来の椅子は、腹部角度の確保、局部圧迫、滑り等の観点のいずれかにおいて問題があった。
【０００８】
【発明が解決しようとする課題】
本発明は、上記実情に鑑みなされたものであり、立ち座りが楽で、腹部角度を確保することができ、局部圧迫や滑りが発生しない椅子の提供をその課題とするものである。
【０００９】
【課題を解決するための手段】
本発明者らは、上記課題を解決すべく鋭意検討を行った結果、座面を２つに分割し、一方で臀部を、他方で大腿部を保持することにより、使用時の安定性を確保しながら、より広い面積で違和感なく体重を支えることが可能であることを見出し、本発明を完成した。
【００１０】
すなわち本発明は、実質的に平坦な後半部と前下がりの前半部により椅子の座面を構成し、前半部の前下がりの角度は、当該椅子に座った際に大腿部が水平面との間で形成する角度に対応した角度とし、後半部で臀部を、前半部で大腿部を保持するようにしたことを特徴とする座面構造を提供するものである。
【００１１】
また本発明は、上記座面構造において、実質的に平坦な後半部と前下がりの前半部が連続した材料で形成され、その境界で屈曲するもの、座面の前半部の長さが後半部の長さに比べ長いものおよび座面が上下可能であると共に、前半部の前下がりの角度がこれに対応して変化するものを提供するものである。
【００１２】
更に本発明は、上記座面構造を有する椅子を提供するものである。
【００１３】
【発明の実施の形態】
以下、本発明の実施形態のいくつかを示す図面を挙げ、本発明を更に詳しく説明する。
【００１４】
図３は、本発明の座面構造を有する椅子の一態様を示す斜視図である。図中、１は座面、２はフレーム、３は背もたれをそれぞれ示す。また、図４は、図３の椅子の使用状態を示す側面図である。
【００１５】
図３に示すように、本発明の座面構造においては、座面１は、前半部１ａと後半部１ｂから構成されており、座面の前半部１ａは前下がりに、座面の後半部１ｂは実質的に平坦になっている。また、前半部１ａと後半部１ｂの長さの比は、前半部１ａの方が後半部１ｂに比べ長いことが望ましく、具体的には、前半部１ａの長さが後半部１ｂの長さの１から２倍程度、特に１．２から１．６程度であることが好ましい。
【００１６】
前半部１ａから後半部１ｂへは連続的に変化していても良いが、この間に屈曲部（Ａ）を設け、これを境界として前半部１ａから後半部１ｂを分けることが好ましい。
【００１７】
なお、前半部１ａの前下がりの角度は、椅子に座った際に大腿部が水平面との間で形成する角度に対応した角度とすることが好ましい。この角度は、具体的には、臀部で座面に腰掛け、足をきっちり床面に付けたときに、大腿部が床面との間で形成する角度とほぼ一致する角度である（５から１０゜程度の範囲の差は許容される）。
【００１８】
図３の椅子を使用するには、図４に示すように、座面１の屈曲部と、臀部および大腿部の境界を合わせるように座ることが好ましい。このように座ることにより、実質的に平坦な後半部１ｂで臀部を滑り出すことないように支えると共に前半部１ａで大腿部裏面も支えるので、全体としての圧迫感は緩和され、しかも大きい腹部角度が取れるため、長時間でも違和感無く座姿勢を続けることが可能となる。
【００１９】
図５は、本発明の座面構造を有する椅子の別の一態様を示す斜視図であり、図６はその使用状態を示す図面である。
【００２０】
図５の椅子の座面１は、図３の椅子の座面とほぼ同様であるが、支柱４の脚部５にキャスター６を付け、更に座面高調整装置７を備えた事務用のものである。この椅子では、座面高調整装置７があるため、使用者の身長や、足の長さに合わせて使用することができる。なお、本態様の椅子では、図６に示すように、図３の椅子に比べて座る位置が低いため、座面前半部１ａの前下がりの程度は、少なくなっている。
【００２１】
パソコン等の事務作業では、前傾姿勢のほうが背骨の自然なＳ字を形成しやすく腰への負担を軽減できるが、本発明の座面構造を有する図５の椅子は、大腿部支持面が適度に前下がりなので前傾姿勢をとりやすい構造となっている。
【００２２】
図７は、本発明の座面構造を有する更に別の態様の椅子の側面図である。この態様の椅子では、平坦な座面から本発明の座面構造に連続的に変化させることのできるものである。
【００２３】
具体的には、座面１の前半部１ａと後半部１ｂは、折り曲げ可能に結合されており、前半部１ａの先端は、枠体８に回動可能に取り付けられている。また、後半部１ｂの下側には、座面高調整装置７からのシリンダ１０が、先端において摺動可能に取り付けられている。
【００２４】
この態様の椅子では、レバー９により座面高調整装置７を作動させることにより、後半部１ｂが上昇し、これに伴い前半部１ａの後半部側端も上昇して、前半部１ａとしては適当な角度の前下がり状態となる。そして、後半部１ｂの高さを適当に調節することにより、最も座りやすい状態とすることが可能となる。この上昇過程において、後半部１ｂは、前半部１ａに引かれて前方へ移動するが、座面高調整装置からのシリンダ１０先端が、後半部裏側に摺動可能に取り付けられているため、この移動はシリンダ１０や座面高調整装置７に対しては何の影響も与えない。
【００２５】
なお、上記の座面高調整装置７としては、座面を持ち上げるための公知の動力源、例えば、バネ、ガスショック、電気モーターなどが使用できる。
【００２６】
以上説明した本発明の座面構造をもつ椅子は、上記した以外は、従来公知の方法に従って製造することができる。製造に当たって用いる材料も、座椅子や椅子に用いられる一般的なものを使用することができる。例えば、座面１や背もたれ３としては、ある程度の強度の骨材をウレタンクッションで包み、これを布や合成樹脂のシートで被包したものやプラスチック、木材あるいは金属の材質のものを使用することができる。また、フレーム２や、支柱４あるいは枠体８は、かなりの重量がかかるので強度の高い材料、例えば、鉄等の金属、木材、硬質プラスチックなどの材料で製造することが望ましい。
【００２７】
【作用】
本発明の座面構造は、人体の挙動の観察より鋭意研究を行った結果に基づき完成されたものである。すなわち、従来の発想は、平坦な面により臀部ないし大腿部を保持しようとするものであるが、この発想によっては、腹部角度の確保が難しかった。そのため、腹部角度を確保するための試みもなされているが、その場合では、局部圧迫、滑り等が生じる問題があった。
【００２８】
これに対し、本発明では、座面に座姿勢に応じた大腿部支持面と臀部支持面を与える座面構造により、大腿部から臀部までの広い面積で違和感なく体重を支持し、かつ大きな腹部角度を維持することで、問題のない座姿勢をとることを可能としたものである。
【００２９】
【発明の効果】
本発明の座面構造は、普通に座った場合に大腿部を支えるために適切な角度の前下がり座面と、臀部を支えるための座面を持つため、使用状況に関係なく、長時間、違和感なく座り続けられるものである。
【００３０】
このように、本発明座面構造は、大きな腹部角度を保持しながら、広い面積で体重を分散するため、長時間座る椅子に有利に使用できるもので、家庭用や事務用の椅子の座面構造として広く使用し得るものである。
【００３１】
【図面の簡単な説明】
【図１】従来の椅子に座った状態を示す図面
【図２】バランスチェアーに座った状態を示す図面
【図３】本発明の座面構造を有する椅子の一態様を示す図面
【図４】図３の椅子の使用状態を示す図面
【図５】本発明の座面構造を有する椅子の別の一態様を示す図面
【図６】図５の椅子の使用状態を示す図面
【図７】本発明の座面構造を有する更に別の態様の椅子を示す図面
【図８】図７の椅子の使用状態を示す図面
【符号の説明】
１　…　…　座面
１ａ　…　…　座面前半部
１ｂ　…　…　座面後半部
Ａ　…　…　屈曲部
２　…　…　フレーム
３　…　…　背もたれ
４　…　…　支柱
５　…　…　脚部
６　…　…　キャスター
７　…　…　座面高調整装置
８　…　…　枠体
９　…　…　レバー
１０　…　…　シリンダ
以　　上
【図１】
2004065626.tif 000003
【図２】
2004065626.tif 000004
【図３】
2004065626.tif 000005
【図４】
2004065626.tif 000006
【図５】
2004065626.tif 000007
【図６】
2004065626.tif 000008
【図７】
2004065626.tif 000009
【図８】
2004065626.tif 000010